【手続補正書】
【提出日】平成16年10月1日(2004.10.1)
【手続補正１】
【補正対象書類名】特許請求の範囲
【補正対象項目名】全文
【補正方法】変更
【補正の内容】
【特許請求の範囲】
【請求項１】
複数のユーザー端末（ＵＥ）に対し、前記ユーザー端末間および／または前記ユーザー端末とインターネットとの間の同時無線通信サービスを提供するための無線ローカルエリアネットワーク（ＲＬＡＮ）であって、
選択された地理的領域で複数のユーザー端末（ＵＥ）との符号分割多重接続（ＣＤＭＡ）無線通信を行う送受信機を有する少なくとも１つの基地局と、
基地局グループの通信を制御する少なくとも１つの前記基地局を含む基地局グループと結合される少なくとも１つのコントローラと、
インターネットとの接続のためのアクセスルーター機能を有するゲートウェイ汎用パケット無線サービス（ＧＰＲＳ）サポートノード（ＧＧＳＮ）を備えた前記少なくとも１つのコントローラと結合される無線アクセス網インターネットプロトコル（ＲＡＮ  ＩＰ）ゲートウェイと
を含むことを特徴とするＲＬＡＮ。
【請求項２】
複数の基地局を含み、それぞれが、選択された地理的領域において、ＵＥとの広帯域符号分割多元接続（Ｗ−ＣＤＭＡ）無線通信を行うためのＵｕインターフェイスとともに構成された送受信機を有することを特徴とする請求項１に記載のＲＬＡＮ。
【請求項３】
前記ＲＡＮ  ＩＰゲートウェイは、前記コントローラと結合されるサービングＧＰＲＳサポートノード（ＳＧＳＮ）を有することを特徴とする請求項１に記載のＲＬＡＮ。
【請求項４】
選択された地理的領域でＵＥとの符号分割多重接続（ＣＤＭＡ）無線通信を行うための送受信機をそれぞれ有する複数の基地局と、
それぞれの基地局グループの通信を制御するための前記複数の基地局の基地局グループと結合される複数のコントローラとを含み、
前記ＲＡＮ  ＩＰゲートウェイは、前記複数のコントローラと結合されるサービングＧＰＲＳサポートノード（ＳＧＳＮ）を有することを特徴とする請求項１に記載のＲＬＡＮ。
【請求項５】
選択された地理的領域でＵＥと広帯域符号分割多元接続（Ｗ−ＣＤＭＡ）無線通信を行う、Ｕｕインターフェイスとともに構成された送受信機をそれぞれが有する複数の基地局と、
下位のトランスポート層がインターネットプロトコル（ＩＰ）を使用するよう構成された積層された階層プロトコル接続を使用する前記基地局と結合される第１の無線ネットワークコントローラ（ＲＮＣ）とをさらに含み、
前記少なくとも１つのコントローラは、前記第１の無線ネットワークコントローラ（ＲＮＣ）であることを特徴とする請求項１に記載の無線ローカルエリアネットワーク（ＲＬＡＮ）。
【請求項６】
下位のトランスポート層がインターネットプロトコル（ＩＰ）を使用するよう構成された積層された階層プロトコル接続を使用する第２の基地局と結合される第２のＲＮＣをさらに含み、
前記第１のＲＮＣは、下位のトランスポート層がインターネットプロトコル（ＩＰ）を使用するよう構成された積層された階層プロトコル接続を使用する前記第２のＲＮＣと結合されることを特徴とする請求項５に記載のＲＬＡＮ。
【請求項７】
前記ＲＡＮ  ＩＰゲートウェイは、下位のトランスポート層がインターネットプロトコル（ＩＰ）を使用するよう構成された積層された階層プロトコル接続を使用する前記ＲＮＣコントローラと結合されるサービングＧＰＲＳサポートノード（ＳＧＳＮ）を有する、ことを特徴とする請求項６に記載のＲＬＡＮ。
【請求項８】
複数のユーザー端末（ＵＥ）に対し、前記ユーザー端末間および／または前記ユーザー端末とインターネットとの間の同時無線通信サービスを提供するための無線ローカルエリアネットワーク（ＲＬＡＮ）であって、
選択された地理的領域で複数のユーザー端末（ＵＥ）との符号分割多重接続（ＣＤＭＡ）無線通信を行うための送受信機を有する第１の基地局と、
前記第１の基地局と結合され、基地局通信のユーザーデータフローを制御するよう構成された第１のＵプレーン・サーバーと、
少なくとも前記第１の基地局と結合され、基地局通信のためのシグナリングを制御するよう構成された第１のＣプレーン・サーバーと、
前記第１のＵプレーンおよび前記第１のＣプレーン・サーバーと結合される、インターネットとの接続のためのゲートウェイ汎用パケット無線サービス（ＧＰＲＳ）サポートノード（ＧＧＳＮ）を備えた無線アクセス網インターネットプロトコル（ＲＡＮ  ＩＰ）ゲートウェイと、
を含むことを特徴とするＲＬＡＮ。
【請求項９】
前記第１のＵプレーン・サーバーは、下位のトランスポート層がインターネットプロトコル（ＩＰ）を使用するよう構成された積層された階層プロトコル接続を使用する前記第１の基地局と結合され、
前記第１のＣプレーン・サーバーは、下位のトランスポート層がインターネットプロトコル（ＩＰ）を使用するよう構成された積層された階層プロトコル接続を使用する前記第１の基地局と結合され、
前記ＲＡＮ  ＩＰゲートウェイは、下位のトランスポート層がインターネットプロトコル（ＩＰ）を使用するよう構成された積層された階層プロトコル接続を使用する前記第１のＵプレーンおよび前記第１のＣプレーン・サーバーと結合され、
前記第１のＵプレーン・サーバーは、下位のトランスポート層がインターネットプロトコル（ＩＰ）を使用するよう構成された積層された階層プロトコル接続を使用する前記第１のＣプレーン・サーバーと結合されることを特徴とする請求項８に記載の無線ローカルエリアネットワーク（ＲＬＡＮ）。
【請求項１０】
外部接続のためのパルス符号変調（ＰＣＭ）ポートを有するボイスゲートウェイをさらに含み、
前記ボイスゲートウェイは、下位のトランスポート層がインターネットプロトコル（ＩＰ）を使用するよう構成された積層された階層プロトコル接続を使用する前記第１のＵプレーン・サーバーおよび前記第１のＣプレーン・サーバーに結合されることを特徴とする請求項９に記載のＲＬＡＮ。
【請求項１１】
選択された地理的領域でＵＥとの広帯域符号分割多元接続（Ｗ−ＣＤＭＡ）無線通信を行うための、Ｕｕインターフェイスと共に構成された送受信機をそれぞれが有する複数の基地局を含み、
前記第１のＵプレーン・サーバーは、下位のトランスポート層がインターネットプロトコル（ＩＰ）を使用するよう構成された積層された階層プロトコル接続を使用する前記基地局に結合され、
前記第１のＣプレーン・サーバーは、下位のトランスポート層がインターネットプロトコル（ＩＰ）を使用するよう構成された積層された階層プロトコル接続を使用する前記基地局に結合されることを特徴とする請求項９に記載のＲＬＡＮ。
【請求項１２】
下位のトランスポート層がインターネットプロトコル（ＩＰ）を使用するよう構成された積層された階層プロトコル接続を使用する基地局に結合される第２のＣプレーン・サーバーをさらに含み、
前記第１のＣプレーン・サーバーは、下位のトランスポート層がインターネットプロトコル（ＩＰ）を使用するよう構成された積層された階層プロトコル接続を使用する前記第２のＣプレーン・サーバーと結合されることを特徴とする請求項９に記載のＲＬＡＮ。
【請求項１３】
前記ＲＡＮ  ＩＰゲートウェイは、前記第１のＣプレーン・サーバーおよび前記第１のＵプレーン・サーバーと結合されるサービングＧＰＲＳサポートノード（ＳＧＳＮ）を有する、ことを特徴とする請求項９に記載のＲＬＡＮ。
【請求項１４】
前記ＲＡＮ  ＩＰゲートウェイは、前記第１のＣプレーン・サーバーおよび前記第１のＵプレーン・サーバーと結合されるサービングＧＰＲＳサポートノード（ＳＧＳＮ）を有する、ことを特徴とする請求項８に記載のＲＬＡＮ。
【請求項１５】
複数のユーザー端末（ＵＥ）に対し、前記ユーザー端末間および／または前記ユーザー端末とインターネットとの間の同時無線通信サービスを提供するための無線ローカルエリアネットワーク（ＲＬＡＮ）であって、
選択された地理的領域で複数のユーザー端末（ＵＥ）との符号分割多重接続（ＣＤＭＡ）無線通信を行うための送受信機を有する第１の基地局と、
基地局通信を制御するための前記第１の基地局と結合される第１の無線ネットワークコントローラ（ＲＮＣ）と、
インターネットとの接続のためのゲートウェイ汎用パケット無線サービス（ＧＰＲＳ）サポートノード（ＧＧＳＮ）を備えた無線アクセス網インターネットプロトコル（ＲＡＮ  ＩＰ）ゲートウェイとを含み、
前記無線アクセス網インターネットプロトコル（ＲＡＮ  ＩＰ）ゲートウェイは、下位のトランスポート層がインターネットプロトコル（ＩＰ）を使用するよう構成された積層された階層プロトコル接続を使用するパケット交換サービス用Ｉｕサブインターフェイス（Ｉｕ−ＰＳインターフェイス）を介して、前記ＲＮＣに結合されることを特徴とする
ＲＬＡＮ。
【請求項１６】
前記ＲＮＣは、下位のトランスポート層がインターネットプロトコル（ＩＰ）を使用するよう構成された積層された階層プロトコル接続を使用する前記第１の基地局と結合されることを特徴とする請求項１５に記載の無線ローカルエリアネットワーク（ＲＬＡＮ）。
【請求項１７】
外部接続のためのパルス符号変調（ＰＣＭ）ポートを有するボイスゲートウェイをさらに含み、
前記ボイスゲートウェイは、下位のトランスポート層がインターネットプロトコル（ＩＰ）を使用するよう構成された積層された階層プロトコル接続を使用する前記第１のＲＮＣに結合されることを特徴とする請求項１６に記載の無線ローカルエリアネットワーク（ＲＬＡＮ）。
【請求項１８】
選択された地理的領域でＵＥとの符号分割多重接続（ＣＤＭＡ）無線通信を行うためのＵｕインターフェイスとともに構成された送受信機をそれぞれが有する複数の基地局を含み、
前記第１のＲＮＣは、下位のトランスポート層がインターネットプロトコル（ＩＰ）を使用するよう構成された積層された階層プロトコル接続を使用する前記第１の基地局に結合されることを特徴とする請求項１６に記載のＲＬＡＮ。
【請求項１９】
下位のトランスポート層がインターネットプロトコル（ＩＰ）を使用するよう構成された積層された階層プロトコル接続を使用する第２の基地局に結合される第２のＲＮＣをさらに含み、
前記第１のＲＮＣは、下位のトランスポート層がインターネットプロトコル（ＩＰ）を使用するよう構成された積層された階層プロトコル接続を使用する前記第２のＲＮＣに結合されることを特徴とする請求項１６に記載のＲＬＡＮ。
【請求項２０】
前記ＲＡＮ  ＩＰゲートウェイは、前記ＲＮＣと結合されるサービングＧＰＲＳサポートノード（ＳＧＳＮ）を有する、ことを特徴とする請求項１９に記載のＲＬＡＮ。
【請求項２１】
前記ＲＡＮ  ＩＰゲートウェイは、前記第１のＲＮＣと結合されるサービングＧＰＲＳサポートノード（ＳＧＳＮ）を有する、ことを特徴とする請求項１９に記載のＲＬＡＮ。
【請求項２２】
前記ＲＡＮ  ＩＰゲートウェイは、前記第１のＲＮＣと結合されるサービングＧＰＲＳサポートノード（ＳＧＳＮ）を有する、ことを特徴とする請求項１５に記載のＲＬＡＮ。
【請求項２３】
選択された地理的領域でＵＥとの符号分割多重接続（ＣＤＭＡ）無線通信を行うための送受信機をそれぞれが有する複数の基地局と、
下位のトランスポート層がインターネットプロトコル（ＩＰ）を使用するよう構成された積層された階層プロトコル接続を使用する前記複数の基地局の基地局グループに結合される複数のＲＮＣとを含み、
前記ＲＡＮ  ＩＰゲートウェイは、下位のトランスポート層がインターネットプロトコル（ＩＰ）を使用するよう構成された積層された階層プロトコル接続を使用する前記複数のＲＮＣと結合されるサービングＧＰＲＳサポートノード（ＳＧＳＮ）を有する、ことを特徴とする請求項１５に記載のＲＬＡＮ。
【請求項２４】
前記ＲＮＣは、下位のトランスポート層がインターネットプロトコル（ＩＰ）を使用するよう構成された積層された階層プロトコル接続を使用して互いに結合されることを特徴とする請求項２３に記載のＲＬＡＮ。
【請求項２５】
複数のユーザー端末（ＵＥ）に対し、前記ユーザー端末間および／または前記ユーザー端末とインターネットとの間の音声サービスを含む同時無線通信サービスを提供するための無線ローカルエリアネットワーク（ＲＬＡＮ）であって、
選択された地理的領域で、ボイスデータに対して第１の圧縮プロトコルを使用するボイスサービスを含む、複数のユーザー端末（ＵＥ）との符号分割多重接続（ＣＤＭＡ）無線通信を行うための送受信機を有する第１の基地局と、
ユーザーデータフローを制御し、基地局通信用のシグナリングを制御するよう構成された前記第１の基地局と結合される第１のコントローラ手段と、
下位のトランスポート層がインターネットプロトコル（ＩＰ）を使用するよう構成された積層された階層プロトコル接続を使用する前記コントローラ手段に結合される無線アクセス網インターネットプロトコル（ＲＡＮ  ＩＰ）ゲートウェイとを備え、
前記無線アクセス網インターネットプロトコル（ＲＡＮ  ＩＰ）ゲートウェイは、前記第１の圧縮プロトコルを使用して圧縮ボイスデータとパルス符号変調（ＰＣＭ）信号とを変換するボイスゲートウェイを有するインターネットサービスプロバイダー（ＩＳＰ）を介して、インターネットとの接続のためのゲートウェイ汎用パケット無線サービス（ＧＰＲＳ）サポートノード（ＧＧＳＮ）を有することを特徴とするＲＬＡＮ。
【請求項２６】
前記ＲＡＮ  ＩＰゲートウェイのＧＧＳＮは、第２の圧縮プロトコルを使用して圧縮ボイスデータとパルス符号変調（ＰＣＭ）信号とを変換するボイスゲートウェイを有するインターネットサービスプロバイダー（ＩＳＰ）を介して、インターネットと接続するために構成され、
さらに前記第１および第２の圧縮プロトコルの圧縮ボイスデータ間で変換するためのボイスデータ・コンバーターを含む、請求項２５に記載の無線ローカルエリアネットワーク（ＲＬＡＮ）。
【請求項２７】
前記ＲＡＮ  ＩＰゲートウェイのＧＧＳＮは、第２の圧縮プロトコルを使用して圧縮ボイスデータとパルス符号変調（ＰＣＭ）信号とを変換するボイスゲートウェイを有するインターネットサービスプロバイダー（ＩＳＰ）を介して、インターネットと接続するために構成され、
前記ＲＡＮ  ＩＰゲートウェイのＧＧＳＮは、前記第１の圧縮プロトコルと第２の圧縮プロトコルの圧縮ボイスデータ間で変換するためのボイスデータ・コンバーターを含むことを特徴とする請求項２５に記載の無線ローカルエリアネットワーク（ＲＬＡＮ）。
【請求項２８】
前記ボイスデータ・コンバーターは、適応マルチレート（ＡＭＲ）圧縮ボイスデータとＧ．７２９圧縮ボイスデータとの間で変換するよう構成されていることを特徴とする請求項２７に記載の無線ローカルエリアネットワーク（ＲＬＡＮ）。
【請求項２９】
前記第１のコントローラ手段は、
基地局通信のユーザーデータフローを制御するよう構成された第１のＵプレーン・サーバーと、
基地局通信のためのシグナリングを制御するよう構成された第１のＣプレーン・サーバーとを含み、
前記第１のＵプレーン・サーバーは、下位のトランスポート層がインターネットプロトコル（ＩＰ）を使用するよう構成された積層された階層プロトコル接続を使用する前記第１の基地局と結合され、
前記Ｕプレーン・サーバーは、下位のトランスポート層がインターネットプロトコル（ＩＰ）を使用するよう構成された積層された階層プロトコル接続を使用する前記第１の基地局と結合され、
前記ＲＡＮ  ＩＰゲートウェイは、下位のトランスポート層がインターネットプロトコル（ＩＰ）を使用するよう構成された積層された階層プロトコル接続を使用する第１のＵプレーンおよび第１のＣプレーン・サーバーと結合され、
前記第１のＵプレーン・サーバーは、下位のトランスポート層がインターネットプロトコル（ＩＰ）を使用するよう構成された積層された階層プロトコル接続を使用する前記第１のＣプレーン・サーバーと結合されることを特徴とする請求項２５に記載の無線ローカルエリアネットワーク（ＲＬＡＮ）。
【請求項３０】
前記ＲＡＮ  ＩＰゲートウェイのＧＧＳＮは、圧縮ボイスデータおよび前記第２の圧縮プロトコルを使用するパルス符号変調（ＰＣＭ）信号を変換するボイスゲートウェイを有するインターネットサービスプロバイダー（ＩＳＰ）を介して、インターネットと接続するよう構成され、
前記ＲＡＮ  ＩＰゲートウェイのＧＧＳＮは、前記第１および第２の圧縮プロトコルの圧縮ボイスデータ間で変換するためのボイスデータ・コンバーターを含むことを特徴とする請求項２９に記載の無線ローカルエリアネットワーク（ＲＬＡＮ）。
【請求項３１】
前記ボイスデータ・コンバーターは、適応マルチレート（ＡＭＲ）圧縮ボイスデータとＧ．７２９圧縮ボイスデータとの間で、変換するよう構成されることを特徴とする請求項３０に記載の無線ローカルエリアネットワーク（ＲＬＡＮ）。
【請求項３２】
選択された地理的領域で、ボイスデータのための第１の圧縮プロトコルを使用するボイスサービスを含む、ＵＥとの広帯域符号分割多元接続（Ｗ−ＣＤＭＡ）無線通信を行うためのＵｕインターフェイスとともに構成された送受信機をそれぞれが有する複数の基地局を含み、
前記第１のＵプレーン・サーバーは、下位のトランスポート層がインターネットプロトコル（ＩＰ）を使用するよう構成された積層された階層プロトコル接続を使用する前記基地局に結合され、
前記第１のＣプレーン・サーバーは、下位のトランスポート層がインターネットプロトコル（ＩＰ）を使用するよう構成された積層された階層プロトコル接続を使用する前記基地局に結合されることを特徴とする請求項３０に記載のＲＬＡＮ。
【請求項３３】
下位のトランスポート層がインターネットプロトコル（ＩＰ）を使用するよう構成された積層された階層プロトコル接続を使用する基地局に結合される第２のＣプレーン・サーバーをさらに含み、
前記第１のＣプレーン・サーバーは、下位のトランスポート層がインターネットプロトコル（ＩＰ）を使用するよう構成された積層された階層プロトコル接続を使用する前記第２のＣプレーン・サーバーと結合されることを特徴とする請求項３２に記載のＲＬＡＮ。
【請求項３４】
前記第１のコントローラ手段は、第１の無線ネットワークコントローラ（ＲＮＣ）であり、
選択された地理的領域で、ボイスデータのための第１の圧縮プロトコルを使用するボイスサービスを含むＵＥとの広帯域符号分割多元接続（Ｗ−ＣＤＭＡ）無線通信を行うためのＵｕインターフェイスとともに構成された送受信機をそれぞれが有する複数の基地局をさらに含み、
前記第１のＲＮＣは、下位のトランスポート層がインターネットプロトコル（ＩＰ）を使用するよう構成された積層された階層プロトコル接続を使用する前記基地局に結合されることを特徴とする請求項２５に記載の無線ローカルエリアネットワーク（ＲＬＡＮ）。
【請求項３５】
前記ＲＡＮ  ＩＰゲートウェイのＧＧＳＮは、前記第２の圧縮プロトコルを使用して圧縮ボイスデータとパルス符号変調（ＰＣＭ）信号とを変換するボイスゲートウェイを有するインターネットサービスプロバイダー（ＩＳＰ）を介して、インターネットとの接続のために構成され、
前記ＲＡＮ  ＩＰゲートウェイのＧＧＳＮは、前記第１圧縮プロトコルの圧縮ボイスデータと第２の圧縮プロトコルの圧縮ボイスデータとの間で変換するためのボイスデータ・コンバーターを含むことを特徴とする請求項３４に記載の無線ローカルエリアネットワーク（ＲＬＡＮ）。
【請求項３６】
前記ボイスデータ・コンバーターは、適応マルチレート（ＡＭＲ）圧縮ボイスデータとＧ．７２９圧縮ボイスデータとの間で、変換するよう構成されていることを特徴とする請求項３５に記載の無線ローカルエリアネットワーク（ＲＬＡＮ）。
【請求項３７】
下位のトランスポート層がインターネットプロトコル（ＩＰ）を使用するよう構成された積層された階層プロトコル接続を使用する第２の基地局に結合される第２のＲＮＣをさらに含み、
前記第１のＲＮＣは、下位のトランスポート層がインターネットプロトコル（ＩＰ）を使用するよう構成された積層された階層プロトコル接続を使用する前記第２のＲＮＣと結合されることを特徴とする請求項３６に記載のＲＬＡＮ。
【請求項３８】
前記ＲＡＮ  ＩＰゲートウェイは、前記第１のコントローラ手段と結合されるサービングＧＰＲＳサポートノード（ＳＧＳＮ）を有する、ことを特徴とする請求項２５に記載のＲＬＡＮ。
【請求項３９】
複数のユーザー端末（ＵＥ）に対し同時無線通信サービスを提供するための無線ローカルエリアネットワーク（ＲＬＡＮ）と、関連コアネットワーク（ＣＮ）とを含む少なくとも１つの無線ネットワークのクループを有する電気通信網であって、関連コアネットワーク（ＣＮ）は、前記電気通信網がホームネットワークであるユーザー端末の認証、認可および課金（ＡＡＡ）機能をサポートし、前記電気通信網は、
選択された地理的領域でＵＥとの符号分割多重接続（ＣＤＭＡ）無線通信を行うための送受信機を有する少なくとも１つの基地局と；基地局のグループの通信を制御するための前記少なくとも１つの基地局を含む基地局のグループに結合される少なくとも１つのコントローラと；前記少なくとも１つのコントローラを含むコントローラのグループと結合される無線アクセス網インターネットプロトコル（ＲＡＮ  ＩＰ）ゲートウェイとを含むＲＬＡＮを含み、
前記ＲＡＮ  ＩＰゲートウェイは、インターネットとの接続のためのＧＩインターフェイスで構成されるゲートウェイ汎用パケット無線サービス（ＧＰＲＳ）サポートノード（ＧＧＳＮ）を有し、ＡＡＡ機能情報を前記ＣＮに伝えるために構成されていることを特徴とする電気通信網。
【請求項４０】
選択された地理的領域でＵＥとの符号分割多重接続（ＣＤＭＡ）無線通信を行うための送受信機を有する少なくとも１つの基地局と；基地局のグループの通信を制御するための前記少なくとも１つの基地局を含む基地局のグループに結合される少なくとも１つのコントローラと；前記少なくとも１つのコントローラを含むコントローラのグループと結合される無線アクセス網インターネットプロトコル（ＲＡＮ  ＩＰ）ゲートウェイと；をそれぞれが含む複数のＲＬＡＮを含み、
前記ＲＡＮ  ＩＰゲートウェイは、インターネットとの接続のためのＧＩインターフェイスで構成されるゲートウェイ汎用パケット無線サービス（ＧＰＲＳ）サポートノードと；前記コントローラのグループと結合されるサービングＧＰＲＳサポートノード（ＳＧＳＮ）と；を有し、前記ＣＮとのＡＡＡ機能情報の伝達のために構成されている、ことを特徴とする前記無線ネットワークグループにおける請求項３９に記載の電気通信網。
【請求項４１】
前記無線ネットワークは、
選択された地理的領域でＵＥとの符号分割多重接続（ＣＤＭＡ）無線通信を行うための送受信機をそれぞれが有する複数の基地局と、
それぞれの基地局のグループの通信を制御するための前記複数の基地局の基地局のグループとそれぞれ結合される複数のコントローラとを含み、
前記ＲＡＮ  ＩＰゲートウェイは、前記複数のコントローラに結合されるサービングＧＰＲＳサポートノード（ＳＧＳＮ）を有する、ことを特徴とする請求項３９に記載の電気通信網。
【請求項４２】
前記コアネットワークは、インターネットと接続のためのゲートウェイ汎用パケット無線サービス（ＧＰＲＳ）サポートノード（ＧＧＳＮ）を有し、前記ＲＡＮ  ＩＰゲートウェイは、インターネット接続を介して、データをトンネルすることによって、前記ＣＮとのＡＡＡ機能情報の通信のために構成されている、ことを特徴とする請求項３９に記載の電気通信網。
【請求項４３】
前記コアネットワークおよび前記ＲＡＮ  ＩＰゲートウェイは、ＧＩインターフェイスを介して、インターネットとの接続のために構成されたＧＧＳＮを有することを特徴とする請求項４２に記載の電気通信網。
【請求項４４】
前記ＧＩインターフェイスは、モバイルＩＰｖ４またはモバイルＩＰｖ６で構成されることを特徴とする請求項４３に記載の電気通信網。
【請求項４５】
前記ＧＩインターフェイスは、モバイルＩＰｖ４またはモバイルＩＰｖ６で構成されることを特徴とする請求項３９に記載の電気通信網。
【請求項４６】
前記ＲＡＮ  ＩＰゲートウェイは、回線交換サービス用Ｉｕサブインターフェイス（Ｉｕ−ＣＳインターフェイス）を介して、前記ＣＮとのＡＡＡ機能情報の通信のための前記ＣＮとの結合を有することを特徴とする請求項３９に記載の電気通信網。
【請求項４７】
前記ＲＡＮ  ＩＰゲートウェイは、ラディアス／ダイアメータ形式を使用して前記ＣＮとのＡＡＡ機能情報の通信のための前記ＣＮとの結合を有することを特徴とする請求項３９に記載の電気通信網。
【請求項４８】
前記ＲＡＮ  ＩＰゲートウェイは、モバイルアプリケーション部（ＭＡＰ）形式を使用して前記ＣＮとのＡＡＡ機能情報の通信のための前記ＣＮとの結合を有することを特徴とする請求項３９に記載の電気通信網。
【請求項４９】
前記ＲＡＮ  ＩＰゲートウェイは、Ｉｕインターフェイスを介して、前記ＣＮとのＡＡＡ機能情報の通信のための前記ＣＮとの結合を有することを特徴とする請求項３９に記載の電気通信網。
【請求項５０】
関連コアネットワーク（ＣＮ）が複数のユーザー端末（ＵＥ）の認証、認可および課金（ＡＡＡ）機能をサポートする、前記複数のＵＥに対する同時無線通信サービスを提供するための無線ローカルエリアネットワーク（ＲＬＡＮ）を使用する、移動管理方法であって、
前記ＲＬＡＮサービス領域の一部とのＵＥ接続を確立するための送受信機を有する第１の基地局と、基地局通信を制御するために、前記第１の基地局と結合される第１の無線ネットワークコントローラ（ＲＮＣ）と、インターネットと接続される汎用パケット無線サービス（ＧＰＲＳ）を有する前記ＲＮＣと結合され、コアネットワークに対して認証、認可および課金（ＡＡＡ）機能情報を伝えるために構成される無線アクセス網インターネットプロトコル（ＲＡＮ  ＩＰ）ゲートウェイとを含むＲＬＡＮサービス領域でＵＥとの符号分割多重接続（ＣＤＭＡ）無線通信を行うためのＲＬＡＮを提供すること、
前記ＲＬＡＮサービス領域の選択された一部内の第１のＵＥと、前記ＲＬＡＮサービス領域の外側の第２のＵＥとの間で、ユーザーデータの通信を行うための無線接続を確立すること、
前記コアネットワークを使用する前記第１のＵＥと前記第２のＵＥとの間で、前記通信のためのＡＡＡ機能を行うこと、および、
前記第１のＵＥと前記第２のＵＥとの間で、前記通信のユーザーデータを転送するためのインターネットとの前記汎用パケット無線サービス（ＧＰＲＳ）接続を使用することを特徴とする移動管理方法。
【請求項５１】
前記第２のＵＥがＲＬＡＮサービス領域内から領域外へ移動する場合に、ユーザーデータを転送するためのインターネットとの前記汎用パケット無線サービス（ＧＰＲＳ）接続の使用を中止することを含み、前記第１のＵＥと第２のＵＥとの間で前記無線通信を継続することをさらに含むことを特徴とする請求項５０に記載の方法。
【請求項５２】
前記第１のＵＥまたは第２のＵＥのいずれかが、前記ＲＬＡＮサービス領域内から領域外へ、移動する場合に、
ユーザーデータを転送するためのインターネットとの前記汎用パケット無線サービス（ＧＰＲＳ）接続を再度使用することを含み、前記第１のＵＥと前記第２のＵＥとの間で前記無線通信を継続することをさらに含むことを特徴とする請求項５１に記載の方法。
【請求項５３】
関連コアネットワーク（ＣＮ）が、複数のユーザー端末（ＵＥ）の認証、認可および課金（ＡＡＡ）機能をサポートする、前記複数のＵＥに対して同時無線通信サービスを提供するための無線ローカルエリアネットワーク（ＲＬＡＮ）を使用する、移動管理方法であって、
前記ＲＬＡＮサービス領域の一部とのＵＥ接続を確立するための送受信機を有する第１の基地局と、基地局通信を制御するための、前記第１の基地局と結合される第１の無線ネットワークコントローラ（ＲＮＣ）と、インターネットと接続される汎用パケット無線サービス（ＧＰＲＳ）を有する前記ＲＮＣに結合され、コアネットワークに対して認証、認可および課金（ＡＡＡ）機能情報を伝えるために構成された無線アクセス網インターネットプロトコル（ＲＡＮ  ＩＰ）ゲートウェイとを含むＲＬＡＮサービス領域でＵＥとの符号分割多重接続（ＣＤＭＡ）無線通信を行うためのＲＬＡＮを提供すること、
前記ＲＬＡＮサービス領域内の第１のＵＥと、前記ＲＬＡＮサービス領域内の第２のＵＥとの間でユーザーデータの通信を行うための無線接続を確立すること、
前記コアネットワークを使用する前記第１と第２のＵＥとの間の前記通信のためのＡＡＡ機能を行うこと、および
前記第１のＵＥと前記第２のＵＥとの間で前記連続通信のユーザーデータを送信するためのインターネットとの前記汎用パケット無線サービス（ＧＰＲＳ）接続を使用することを含み、前記第１のＵＥまたは第２のＵＥのいずれかが、ＲＬＡＮサービス領域内から領域外へ移動する場合、前記第１のＵＥと第２のＵＥとの間の無線通信を継続することを特徴とする移動管理方法。
【請求項５４】
関連コアネットワーク（ＣＮ）が、ホームＵＥの認証、認可および課金（ＡＡＡ）機能をサポートする、複数のユーザー端末ＵＥに対する、同時無線通信サービスを提供するための無線ローカルエリアネットワーク（ＲＬＡＮ）を使用する、移動管理方法であって、
前記ＲＬＡＮサービス領域の一部とのＵＥ接続を確立するための送受信機を有する第１の基地局と、基地局通信を制御するために、前記第１の基地局と結合される第１の無線ネットワークコントローラ（ＲＮＣ）と、インターネットと接続される汎用パケット無線サービス（ＧＰＲＳ）を有する前記ＲＮＣと結合され、コアネットワークに対して認証、認可および課金（ＡＡＡ）機能情報を伝えるために構成された無線アクセス網インターネットプロトコル（ＲＡＮ  ＩＰ）ゲートウェイとを含むＲＬＡＮサービス領域でＵＥとの符号分割多重接続（ＣＤＭＡ）無線通信を行うためのＲＬＡＮを提供すること、
ホームＵＥと第２のＵＥとの間で、ユーザーデータの通信を行うために無線接続を確立すること、および、
前記コアネットワークへインターネットを介して、ＡＡＡ機能情報をトンネルするために、インターネットとの前記汎用パケット無線サービス（ＧＰＲＳ）接続を使用することにより、前記コアネットワークを使用する前記ホームＵＥと第２のＵＥとの間で、前記通信のためのＡＡＡ機能を行うことを特徴とする移動管理方法。
【請求項５５】
前記ホームＵＥが前記ＲＬＡＮサービス領域内にあり、前記第２のＵＥが、前記ＲＬＡＮサービス領域の外にあるとき、前記無線接続は確立され、さらに、前記ホームＵＥと前記第２のＵＥとの間で前記通信のユーザーデータを送信するためのインターネットとの前記汎用パケット無線サービス（ＧＰＲＳ）接続を使用することを特徴とする請求項５４に記載の方法。
【請求項５６】
前記第２のＵＥが前記ＲＬＡＮサービス領域外から領域内へ移動するとき、ユーザーデータを送信するためのインターネットとの前記汎用パケット無線サービス（ＧＰＲＳ）接続の使用を中止することを含み、前記ホームＵＥと前記第２のＵＥとの間で前記無線通信を継続することをさらに含むことを特徴とする請求項５４に記載の方法。
【請求項５７】
前記第１のＵＥまたは前記第２のＵＥのいずれかが前記ＲＬＡＮサービス領域内から領域外へ移動するとき、ユーザーデータを送信するためのインターネットとの前記汎用パケット無線サービス（ＧＰＲＳ）接続を再度使用することを含み、前記ホームＵＥと前記第２のＵＥとの間で前記無線通信を継続すること、をさらに含むことを特徴とする請求項５６に記載の方法。
【請求項５８】
前記ホームＵＥが前記ＲＬＡＮサービス領域外にあって、前記第２のＵＥが前記ＲＬＡＮサービス領域内にあるとき、前記無線接続は確立され、さらに、前記ホームＵＥと前記第２のＵＥとの間で前記通信のユーザーデータを送信するためのインターネットとの前記汎用パケット無線サービス（ＧＰＲＳ）接続を使用することを特徴とする請求項５４に記載の方法。
【請求項５９】
前記ホームＵＥが前記ＲＬＡＮサービス領域外から領域内へ移動するとき、ユーザーデータを送信するためのインターネットとの前記汎用パケット無線サービス（ＧＰＲＳ）接続の使用を中止することを含み、前記ホームＵＥと前記第２のＵＥとの間で前記無線通信を継続することをさらに含むことを特徴とする請求項５８に記載の方法。
【請求項６０】
前記ホームＵＥまたは第２のＵＥが前記ＲＬＡＮサービス領域内から領域外へ移動するとき、ユーザーデータを送信するためのインターネットとの前記汎用パケット無線サービス（ＧＰＲＳ）接続を再度使用することを含み、前記ホームＵＥと前記第２のＵＥとの間で前記無線通信を継続することをさらに含むことを特徴とする請求項５９に記載の方法。
【請求項６１】
前記ホームＵＥが前記ＲＬＡＮサービス領域内にあり、前記第２のＵＥが、前記ＲＬＡＮサービス領域の外にあるとき、前記無線接続は確立されることを特徴とする請求項５４に記載の方法。
【請求項６２】
前記ホームＵＥまたは第２のＵＥが前記ＲＬＡＮサービス領域内から領域外へ移動するとき、ユーザーデータを送信するためのインターネットとの前記汎用パケット無線サービス（ＧＰＲＳ）接続の使用を含み、前記ホームＵＥと前記第２のＵＥとの間で前記無線通信を継続することをさらに含むことを特徴とする請求項６１に記載の方法。
【請求項６３】
前記ホームＵＥが前記ＲＬＡＮサービス領域外にあり、前記第２のＵＥが前記ＲＬＡＮサービス領域外にあるとき、前記無線接続は確立され、さらに、前記第１のＵＥと前記第２のＵＥとの間で前記通信のユーザーデータを転送するためのインターネットとの前記汎用パケット無線サービス（ＧＰＲＳ）接続を使用することを特徴とする請求項５４に記載の方法。
【請求項６４】
前記ホームＵＥまたは第２のＵＥが前記ＲＬＡＮサービス領域外部から内部へ移動するとき、ユーザーデータを送信するためのインターネットとの前記汎用パケット無線サービス（ＧＰＲＳ）接続の使用を含み、前記ホームＵＥと前記第２のＵＥとの間で前記無線通信を継続することをさらに含むことを特徴とする請求項６３に記載の方法。
【請求項６５】
関連コアネットワーク（ＣＮ）が、ホームＵＥの認証、認可および課金（ＡＡＡ）機能をサポートする、複数のユーザー端末（ＵＥ）に同時無線通信サービスを提供するための移動管理方法を含む、無線通信ネットワークであって、
前記ＲＬＡＮサービス領域の一部とのＵＥ接続を確立するための送受信機を有する第１の基地局と、基地局通信を制御するために、前記第１の基地局と結合される第１の無線ネットワークコントローラ（ＲＮＣ）と、インターネットと接続される汎用パケット無線サービス（ＧＰＲＳ）を有する前記ＲＮＣと結合され、コアネットワークに対して認証、認可および課金（ＡＡＡ）機能情報を伝えるために構成された無線アクセス網インターネットプロトコル（ＲＡＮ  ＩＰ）ゲートウェイとを含む、ＲＬＡＮサービス領域でＵＥとの符号分割多重接続（ＣＤＭＡ）無線通信を行うための無線ローカルエリアネットワーク（ＲＬＡＮ）を含み、
前記ＲＬＡＮサービス領域の選択された一部内の第１のＵＥと、前記ＲＬＡＮサービス領域外の第２のＵＥとの間で、ユーザーデータの通信を行うための無線接続が確立されるように、前記ＲＬＡＮは構成され、
ＡＡＡ機能が、前記コアネットワークを使用する前記第１のＵＥと第２のＵＥとの間で前記通信に対して行われ、
インターネットとの前記汎用パケット無線サービス（ＧＰＲＳ）接続は、前記第１のＵＥと前記第２のＵＥとの間で前記通信のユーザーデータを送信するために使用されることを特徴とする無線通信ネットワーク。
【請求項６６】
前記第１のＵＥおよび第２のＵＥの間で前記無線通信が続けられ、前記第２のＵＥが前記ＲＬＡＮサービス領域外から領域内へ移動するとき、ユーザーデータを送信するためのインターネットとの前記汎用パケット通信サービス（ＧＰＲＳ）接続の使用が中止されるように、前記ＲＬＡＮは構成されることを特徴とする請求項６５に記載の方法。
【請求項６７】
前記第１のＵＥと前記第２のＵＥとの間で前記無線通信がさらに続けられ、前記第１または第２のＵＥが前記ＲＬＡＮサービス領域外から領域内へ移動するとき、ユーザーデータを送信するためのインターネットとの前記汎用パケット通信サービス（ＧＰＲＳ）接続の使用が再度行われるように、前記ＲＬＡＮは構成されることを特徴とする請求項６６に記載の方法。
【請求項６８】
関連コアネットワーク（ＣＮ）が、ホームＵＥの認証、認可および課金（ＡＡＡ）機能をサポートする、複数のユーザー端末（ＵＥ）に同時無線通信サービスを提供するための移動管理方法を含む、無線通信ネットワークであって、
前記ＲＬＡＮサービス領域の一部とのＵＥ接続を確立するための送受信機を有する第１の基地局と、基地局通信を制御するために、前記第１の基地局と結合される第１の無線ネットワークコントローラ（ＲＮＣ）と、インターネットとの汎用パケット無線サービス（ＧＰＲＳ）接続を有する前記ＲＮＣと結合され、コアネットワークに対して認証、認可および課金（ＡＡＡ）機能情報を伝えるために構成された無線アクセス網インターネットプロトコル（ＲＡＮ  ＩＰ）ゲートウェイとを含むＲＬＡＮサービス領域でＵＥとの符号分割多重接続（ＣＤＭＡ）無線通信を行うための無線ローカルエリアネットワーク（ＲＬＡＮ）を含み、
ユーザーデータの通信を行うための、前記ＲＬＡＮサービス領域内の第１のＵＥと、前記ＲＬＡＮサービス内の第２のＵＥとの間で、無線接続が確立されるとき、前記通信のためのＡＡＡ機能は、前記コアネットワークを使用する前記第１および第２のＵＥとの間で行われるように、前記ＲＬＡＮは構成され、
前記第１および第２のＵＥの間で前記無線通信が続けられ、前記第１のＵＥまたは前記第２のＵＥ前記ＲＬＡＮサービス領域外から領域内へ移動するとき、前記第１のＵＥおよび前記第２のＵＥとの間での前記連続される通信のユーザーデータを送信するために、インターネットとの前記汎用パケット無線サービス（ＧＰＲＳ）接続が使用されるように、前記ＲＬＡＮは構成されることを特徴とする無線通信ネットワーク。
【請求項６９】
関連コアネットワーク（ＣＮ）が、ホームＵＥの認証、認可および課金（ＡＡＡ）機能をサポートする複数のユーザー端末（ＵＥ）のために同時無線通信サービスを提供するための移動管理を含む無線通信ネットワークであって、
前記ＲＬＡＮサービス領域の一部とのＵＥ接続を確立するための送受信機を有する第１の基地局と、基地局通信を制御するために、前記第１の基地局と結合される第１の無線ネットワークコントローラ（ＲＮＣ）と、インターネットとの汎用パケット無線サービス（ＧＰＲＳ）接続を有する前記ＲＮＣと結合され、コアネットワークに対してインターネットを介して、認証、認可および課金（ＡＡＡ）機能情報をトンネルするよう構成された無線アクセス網インターネットプロトコル（ＲＡＮ  ＩＰ）ゲートウェイとを含むＲＬＡＮサービス領域でＵＥと符号分割多重接続（ＣＤＭＡ）無線通信を行うための無線ローカルエリアネットワーク（ＲＬＡＮ）を含み、
ユーザーデータの通信を行うためのホームＵＥと第２のＵＥとの間で、無線接続が確立されるとき、前記コアネットワークにインターネットを介して、ＡＡＡ機能情報をトンネルするために、インターネットとの前記汎用パケット無線サービス（ＧＰＲＳ）接続を使用することにより、前記コアネットワークを使用する前記ホームＵＥと前記第２のＵＥの間で、前記通信に対するＡＡＡ機能が行われることを特徴とする無線通信ネットワーク。
【請求項７０】
前記ホームＵＥが前記ＲＬＡＮサービス領域にあり、前記第２のＵＥが前記ＲＬＡＮサービス領域外にあり、前記無線接続が確立されるとき、インターネットとの前記汎用パケット無線サービス（ＧＰＲＳ）接続が前記ホームＵＥと第２のＵＥとの間で前記通信のユーザーデータを送信するために使用されるように、前記ＲＬＡＮは構成されることを特徴とする請求項６９に記載の発明。
【請求項７１】
前記ホームＵＥと第２のＵＥとの間で前記無線通信が継続され、前記ＲＬＡＮサービス領域外部から内部へ、前記第２のＵＥが移動するとき、ユーザーデータを送信するためのインターネットとの前記汎用パケット無線サービス（ＧＰＲＳ）接続の使用が中止されるように前記ＲＬＡＮが構成されることを特徴とする請求項６９に記載の発明。
【請求項７２】
前記ホームＵＥまたは前記第２のＵＥが前記ＲＬＡＮサービス領域外から領域内へ移動し、前記ホームＵＥと前記第２のＵＥとの間で前記無線通信が続けられるとき、ユーザーデータを送信するためのインターネットとの前記汎用パケット無線サービス（ＧＰＲＳ）接続の使用が再度行われるように、前記ＲＬＡＮは構成されることを特徴とする請求項７１に記載の発明。
【請求項７３】
前記ホームＵＥが前記ＲＬＡＮサービス領域外にあり、前記第２のＵＥが前記ＲＬＡＮサービス領域内にあり、前記無線接続が確立されるとき、インターネットとの前記汎用パケット通信サービス（ＧＰＲＳ）接続が前記ホームＵＥと前記第２のＵＥとの間で前記通信のユーザーデータを送信するために使用されるように、前記ＲＬＡＮは構成されることを特徴とする請求項６９に記載の発明。
【請求項７４】
前記ホームＵＥが前記ＲＬＡＮサービス領域外から領域内へ移動し、前記ホームＵＥと前記第２のＵＥとの間で、前記無線通信が続けられるとき、ユーザーデータを送信するためのインターネットとの前記汎用パケット無線サービス（ＧＰＲＳ）接続の使用が中止されるように、前記ＲＬＡＮが構成されることを特徴とする請求項７３に記載の方法。
【請求項７５】
前記ホームＵＥまたは前記第２のＵＥが前記ＲＬＡＮサービス領域外から領域内へ移動し、前記ホームＵＥと前記第２のＵＥとの間で、前記無線通信が続けられるとき、ユーザーデータを送信するためのインターネットとの前記汎用パケット通信サービス（ＧＰＲＳ）接続の使用が再度行われるように、前記ＲＬＡＮは構成されることを特徴とする請求項７４に記載の発明。
【請求項７６】
前記ホームＵＥが前記ＲＬＡＮサービス領域内にあり、前記第２のＵＥが前記ＲＬＡＮサービス領域内にあり、前記無線接続が確立され、前記ホームＵＥまたは前記第２のＵＥが前記ＲＬＡＮサービス領域内から領域外に移動し、前記ホームＵＥと前記第２のＵＥとの間で前記無線通信が続けられるとき、インターネットとの前記汎用パケット通信サービス（ＧＰＲＳ）接続が、ユーザーデータを送信するために使用されるように、前記ＲＬＡＮが構成されることを特徴とする請求項６９に記載の発明。
【請求項７７】
前記ホームＵＥが前記ＲＬＡＮサービス領域外にあり、前記第２のＵＥが前記ＲＬＡＮサービス領域外にあり、前記無線接続が確立されるとき、インターネットとの前記汎用パケット無線サービス（ＧＰＲＳ）接続が前記第１のＵＥと前記第２のＵＥとの間で前記通信のユーザーデータを送信するために使用されるように、前記ＲＬＡＮが構成されることを特徴とする請求項６９に記載の発明。
【請求項７８】
前記ホームＵＥまたは前記第２のＵＥが前記ＲＬＡＮサービス領域外から領域内に移動し、前記ホームＵＥと前記第２のＵＥとの間で、前記無線通信が継続されるとき、インターネットとの前記汎用パケット無線サービス（ＧＰＲＳ）接続が、ユーザーデータを送信するために使用されることを特徴とする請求項７７に記載の発明。